(57)【要約】      （修正有）【課題】排泄物の漏れを防ぎ、生理などで吸収体の固定や交換が容易な下着を提供する。【解決手段】下着のフロント部１とクロッチ部３との内面の前方境界４付近の中央には、ボタン２１（第一着脱手段）が縫合される。長円状の吸収体１１の外面の前方の中央には環状／輪状の紐ボタンホール２２（第二着脱手段）が縫合される。紐ボタンホールにボタンを通すと、下着に吸収体を容易に装着して固定できる。ボタンを紐ボタンホールから外すと、下着から吸収体を容易に外すことができ、吸収体の交換も容易になる。ボタン及び紐ボタンホールは単一なので、吸収体の着脱が容易になるし、肌への違和感もない。ボタン及び紐ボタンホールは、股部の前方に位置し、座っているときをふくめて、肌への違和感がない。また、単一でも、装着した吸収体がずれにくく漏れがない。【選択図】図１
0003204198.tif 000002
【実用新案登録請求の範囲】
【請求項１】
腰部の前面を覆う可撓性のあるフロント部と、
この腰部の後面を覆い、腰部の両側面で上記フロント部と連結される、可撓性のあるバック部と、
この腰部の股部を覆い、当該股部で上記フロント部と上記バック部とに連結される、可撓性のあるクロッチ部と、
このクロッチ部と上記フロント部との境界付近であって、当該クロッチ部の前方付近に設けられた第一着脱手段であって、この第一着脱手段は、単一であり、当該クロッチ部の内面に設けられ、上記フロント部、バック部及びクロッチ部より小さく、
これらフロント部、バック部及びクロッチ部と分離され、上記クロッチ部の内面にて、上記股部付近を覆う可撓性のある板状の吸収体と、
この吸収体の前方付近に設けられ、上記第一着脱手段に着脱される第二着脱手段であって、この第二着脱手段は、単一であり、当該吸収体の外面に設けられ、当該吸収体の外面が上記クロッチ部の内面に重ねられ、上記フロント部、バック部及びクロッチ部、当該吸収体より小さいことを特徴とする下着。
【請求項２】
上記第一着脱手段及び第二着脱手段の厚さは、上記クロッチ部または上記吸収体の厚さとほぼ同じ、または数分の一乃至数倍であることを特徴とする請求項１記載の下着。
【請求項３】
上記第一着脱手段及び第二着脱手段の大きさは、上記クロッチ部の幅の数分の一乃至数十分の一であることを特徴とする請求項２記載の下着。
【請求項４】
上記第一着脱手段及び第二着脱手段は、ボタンとボタンホールであることを特徴とする請求項３記載の下着。
【請求項５】
上記ボタンホールは、環状の紐体で、この紐体の環状の一部で上記吸収体、もしくは上記クロッチ部の前方付近、または上記フロント部のクロッチ部との境界付近に設けられていることを特徴とする請求項４記載の下着。
【請求項６】
上記環状の紐体のボタンホールの向きは、上記吸収体の外面または下着の内面に対して、下着の前方に向かって傾斜していることを特徴とする請求項５記載の下着。
【請求項７】
上記第一着脱手段及び第二着脱手段は、互いに着脱可能なスナップボタンであることを特徴とする請求項２または３記載の下着。
【請求項８】
上記第一着脱手段及び第二着脱手段は、互いに着脱可能な面ファスナーであることを特徴とする請求項２または３記載の下着。
【考案の詳細な説明】
【技術分野】
【０００１】
本考案は、下着に関し、生理、失禁、オムツ、乳児、幼児、老人、介護に対して有効な下着に関する。
【背景技術】
【０００２】
このような下着は、排泄物の漏れを防ぐための様々な工夫がなされ、さらに生理にあってはナプキンの固定や交換を容易にする様々な工夫がなされてきた。
【０００３】
【特許文献１】実開平０１−０６５８０２号公報
【特許文献２】実開平０５−０６２５０３号公報
【特許文献３】特開２００６−２８８６８１号公報
【特許文献４】特開平１０−１１３３６１号公報
【特許文献５】特開２００７−０４４１３９号公報
【考案の開示】
【考案が解決しようとする課題】
【０００４】
本考案は、上述した課題を解決・達成するためになされたものであり、本考案の目的は、排泄物の漏れを防ぎ、さらに生理にあっては吸収体（ナプキン）の固定や交換を容易にするなどして、生理、失禁、オムツ、乳児、幼児、老人、介護に対して有効な下着を提供することにある。
【課題を解決するための手段】
【０００５】
このため、本考案の下着は、  下着のフロント部、バック部及びクロッチ部より小さく、  これらフロント部、バック部及びクロッチ部と分離され、上記クロッチ部の内面にて、上記股部付近を覆う可撓性のある板状の吸収体と、  この吸収体の前方付近に設けられ、上記第一着脱手段に着脱される第二着脱手段であって、この第二着脱手段は、単一であり、当該吸収体の外面に設けられ、当該吸収体の外面が上記クロッチ部の内面に重ねられ、上記フロント部、バック部及びクロッチ部、当該吸収体より小さいようにした。
【考案の効果】
【０００６】
これにより、吸収体の下着への着脱が容易であって、吸収体の交換が容易であり、吸収体が容易に位置ずれせず、装着していても感触上肌に違和感がない。
【図面の簡単な説明】
【０００７】
【図１】下着の外観を示す。
【図２】下着のクロッチ部３付近の内面を示す。
【図３】吸収体１１（ナプキン）の外面を示す。
【図４】吸収体１１と別実施形態の大型吸収体１２（ナプキン）の外面を示す。
【考案を実施するための最良の形態】
【０００８】
（１）下着の外観
図１は下着の外観を示し、図２は下着のクロッチ部３付近の内面を示す。この下着は人間の成人の女性用である。
【０００９】
下着は、フロント部１と、バック部２と、クロッチ部３とからなっている。フロント部１は、人間の腰部の前面、つまり腹部を覆い、バック部２は当該腰部の後面、つまり臀部を覆い、臀部を覆う形となり、クロッチ部３は当該腰部の股部を覆う。
【００１０】
上記フロント部１及びクロッチ部３は、ほぼ六角形状であり、フロント部１はバック部２よりやや小さく、この六角形の一辺を挟む左右側方の二辺で互いに縫い合わされ、上記腰部の両側面で互いに連結され、ウエスト付近を周回する状態となる。
【００１１】
クロッチ部３は、ほぼ台形状で左右両側縁が湾曲しており、この台形の上底は下底より短く、この上底は上記フロント部１の下縁／下方の一辺に縫い合わされ、腹部下方／股部前方で互いに連結され、前方境界４が形成され、この前方境界４でクロッチ部３とフロント部１とが連結される。
【００１２】
上記クロッチ部３の上記下底は、上記バック部２の下縁／下方の一辺に縫い合わされ、臀部下方／股部後方で互いに連結され、後方境界５が形成され、この後方境界５でクロッチ部３とバック部２とが連結される。
【００１３】
以上の連結によって、上記フロント部１上縁と上記バック部２上縁とによって環状のウエスト開口部６が形成され、ウエストが挿通される。また、上記フロント部１右下縁とクロッチ部３右下縁とクロッチ部３右縁とによって環状の右大腿開口部７が形成され、右大腿が挿通される。上記フロント部１左下縁とクロッチ部３左下縁とクロッチ部３左縁とによって環状の左大腿開口部８が形成され、左大腿が挿通される。
【００１４】
これらウエスト開口部６、右大腿開口部７、左大腿開口部８の開口縁には、弾性的に伸縮可能で可撓性のあるフリルテープまたはレーステープが縫合されて、縁かがり縫いなどがなされて、ウエスト、左右の大腿に密着されたり、またはこれら開口部６、７、８の縁を折り返して縫合してチューブ状の通路を形成しこの中にゴム紐を通して弾性的に伸縮可能とされたりする。上記フロント部１、バック部２、クロッチ部３は、弾性的に伸縮性のある、可撓性のある布からなっており、腰部に密着され、厚さは数分の一ｍｍ乃至数ｍｍほどである。
【００１５】
フロント部１及びバック部２は一枚の布からなり、クロッチ部３は二枚の布からなり、二層に積層されて、吸水性が高くなっている。なお、クロッチ部３の一部または全部は、一枚の布、または三枚以上の布からなっていてもよいし、フロント部１及びクロッチ部３の一部または全部は、二枚以上の布からなっていてもよい。
【００１６】
（２）吸収体１１
図３は吸収体１１（ナプキン）の外面を示す。この吸収体１１は、長円形の布からなり、この長円形の布が２枚乃至５枚積層され、周縁が縁かがり縫いなどで縫合されて一体化されている。この吸収体１１の布は、上記クロッチ部３フロント部１またはバック部２の布と同じでもよいし、異なる布でもよいし、積層される布のうち内蔵される布は、より吸水性の高い布からなっているが、同じ布でもよい。
【００１７】
吸収体１１の幅／短手方向の長さは、上記クロッチ部３の一番狭い幅の部分の幅と同じ、またはやや大きく、長さ／長手方向の長さは、上記クロッチ部３の長手方向の長さよりやや大きい。なお、吸収体１１の幅は、クロッチ部３の一番狭い幅の部分の幅より小さくてもよいし、吸収体１１の長さは上記クロッチ部３の長手方向の長さより小さくてもよいし、ほぼ同じでもよい。
【００１８】
図４は吸収体１１と別の実施形態の大型吸収体１２（ナプキン）の外面を示す。この大型吸収体１２は、図３の吸収体１１より大型であり、大型吸収体１２の前部分は上記吸収体１１の前部分とほぼ同形同大である。大型吸収体１２の後部分は上記吸収体１１の後部分より幅も長さも大きく、細長い洋梨形をしている。
【００１９】
大型吸収体１２の長さは、吸収体１１の１．数倍、例えば１．５倍であり、クロッチ部３の２倍ほどであり、後方の幅は、吸収体１１の１．数倍、例えば１．５倍であり、クロッチ部３の幅の２倍ほどである。
【００２０】
この吸収体１１及び大型吸収体１２は、弾性的に伸縮性のある、可撓性のある布からなっており、股部に密着され、厚さは数分の一ｍｍ乃至数ｍｍほどであり、この厚さは上記クロッチ部３の厚さの１倍乃至数倍ほどである。この大型吸収体１２の幅、長さは、これより大きくでも、小さくでもよい。この吸収体１１は股部付近を覆うことができる。この大型吸収体１２は、股部から臀部の方まで覆うことができる。
【００２１】
この吸収体１１及び大型吸収体１２は、上記フロント部１、バック部２、クロッチ部３と分離され、上記クロッチ部３の内面にて、上記股部付近を覆う。吸収体１１または大型吸収体１２の布は一層でもよいし、上述のように多層でもよい。
【００２２】
（３）ボタン２１（第一着脱手段）及び紐ボタンホール２２（第二着脱手段）
図１及び図２に示すように、上記前方境界４付近で、クロッチ部３であって、前方境界４の中央のクロッチ部３側で、クロッチ部３の内面には、単一のボタン２１（第一着脱手段）が糸で縫い付けられている。このボタン２１の大きさは、上記フロント部１、バック部２及びクロッチ部３より小さく、クロッチ部３の幅の数分の一乃至十数分の一ほどである。
【００２３】
これにより、ボタン２１（第一着脱手段）の大きさが下着に比べて小さく、腰部に下着を装着していても外見上ボタン２１は目立たず、感触上も肌に違和感がない。なお、ボタン２１は、前方境界４付近のフロント部１側に設けられてもよいし、前方境界４より上／前でもよいし、前方境界４より下／後でもよい。
【００２４】
ボタン２１は硬質樹脂などからなり、ボタン２１の厚さは数分の一ｍｍ乃至数ｍｍほどであり、この厚さは上記クロッチ部３の厚さの数分の一乃至数倍ほど、例えば１倍ほどであり、上記クロッチ部３または上記吸収体１１、１２の厚さとほぼ同じ、または数分の一乃至数倍である。
【００２５】
これにより、ボタン２１（第一着脱手段）の厚さが下着の厚さに比べて大きくなりすぎず、腰部に下着を装着していても外見上ボタン２１は目立たず、感触上も肌に違和感がない。なお、ボタン２１の素材は、軟質樹脂、ゴム、金属、竹、紙などでもよい。
【００２６】
上記ボタン２１（第一着脱手段）が縫合されているクロッチ部３の部分は布が織り返されて縫合され、クロッチ部３の他の部分より厚くなっているので、ボタン２１の厚みが下着の厚さ、クロッチ部３の部分の厚さに吸収されて埋没されるので、ボタン２１が外見上目立たず、感触上も肌に違和感がない。
【００２７】
図３及び図４に示すように、上記吸収体１１及び大型吸収体１２の外面の前方、つまり図３及び図４の上方の中央には、単一の紐ボタンホール２２（第二着脱手段）が糸で縫い付けられている。この紐ボタンホール２２は、可撓性のある紐体が環状にされ、この紐体の環状の一部で上記吸収体１１外面に縫い付けられている。
【００２８】
この単一の紐ボタンホール２２には、上記単一のボタン２１が挿通／通されて、両者が係止／係合され、当該吸収体１１外面または大型吸収体１２内面がクロッチ部３内面に重ねられ、吸収体１１及び大型吸収体１２が容易に位置ずれないし、この結果漏れもなくなる。これにより、吸収体１１または大型吸収体１２を下着に容易に装着／固定でき手間がかからない。この紐ボタンホール２２の環／輪の内周囲の長さは、上記ボタン２１の直径の２倍より少し大きい程度である。
【００２９】
この紐ボタンホール２２の縫合位置は、吸収体１１及び大型吸収体１２の前方（図３及び図４の上方）の半円部分の円の中心付近である。これにより、吸収体１１及び大型吸収体１２の上方からの漏れがなくなる。また、装着した吸収体１１及び大型吸収体１２の紐ボタンホール２２より前（上）の部分が折れ曲がることがなくなる。
【００３０】
吸収体１１または大型吸収体１２を外す、または交換するには、紐ボタンホール２２をボタン２１から外して引き出せばよい。これにより、吸収体１１または大型吸収体１２を下着から容易に外すことができるし、容易に交換もでき手間がかからない。以上のように、吸収体１１及び大型吸収体１２を下着から容易に着脱できる。
【００３１】
この環状の紐ボタンホール２２の長さは、数ｍｍ、十数ｍｍまたは二十数ｍｍほどであり、太さは数ｍｍであり、上記ボタン２１の大きさに応じて変化する。この紐ボタンホール２２は、上記フロント部１、バック部２及びクロッチ部３より小さく、クロッチ部３の幅の数分の一乃至十数分の一ほどである。
【００３２】
これにより、紐ボタンホール２２（第二着脱手段）の大きさが下着に比べて小さく、吸収体１１または大型吸収体１２を装着した下着を腰部に装着していても外見上紐ボタンホール２２は目立たず、感触上も肌に違和感がない。なお、紐ボタンホール２２は、図３または図４の位置より、前方側（上方側）に設けられてもよいし、後方側（下方側）に設けられてもよい。
【００３３】
紐ボタンホール２２にしているので、吸収体１１または大型吸収体１２を装着していても、通常硬質のボタン２１が直接肌に当たらないので、感触上肌に違和感がない。また、ボタン２１を目で確認し易く、吸収体１１または大型吸収体１２でボタン２１が隠れにくく、ボタン２１を容易に確認でき、吸収体１１及び大型吸収体１２の装着が確実となる。
【００３４】
紐ボタンホール２２の材質は、布を環状に折って縁かがり縫して紐状にしたものであるが、ゴム紐でもよいし、リボン、帯、テープ、コードなどでもよいし、方形または半円状の布の板状で中央に切れ込みのボタンホールが形成されてもよい。
【００３５】
この環状の紐ボタンホール２２は、この環の一部で、上記吸収体１１または大型吸収体１２の外面に縫い付けられる。したがって、この紐ボタンホール２２の向きは、吸収体１１または大型吸収体１２外面に対して直立せず、吸収体１１または大型吸収体１２の外面に対して、下着の前方に向かって傾斜する。
【００３６】
これにより、下着を利用している人の視線から、紐ボタンホール２２を確認し易く、吸収体１１または大型吸収体１２の上縁をめくると、紐ボタンホール２２を容易に確認でき、ボタン２１への着脱が容易になり、紐ボタンホール２２が吸収体１１または大型吸収体１２に隠れてしまうことがない。これは、ボタン２１と紐ボタンホール２２とを入れ替えて、紐ボタンホール２２を下着側に設けたときも、下着の内面に対して直立せず、下着の内面に対して、下着の前方に向かって傾斜し、同様に容易に着脱できる。
【００３７】
上記吸収体１１及び大型吸収体１２の外面と、クロッチ部３の内面とは同じ布が使用される。これにより、吸収体１１または大型吸収体１２外面とクロッチ部３内面との摩擦が大きくなり、吸収体１１または大型吸収体１２が容易に位置ずれしなくなり、漏れもなくなり、クロッチ部３、吸収体１１、大型吸収体１２の布も材質は、互いに摩擦の大きい布であれば、どのようなものでもよい。
【００３８】
上記ボタン２１は、クロッチ部３の前方に設けられているので、座った時でも、人体と座る媒体との間に、通常硬質のボタン２１が挟まれることがなく、座ったときでも、ボタン２１や紐ボタンホール２２に感触上肌に違和感がない。
【００３９】
（４）他の実施の形態
本考案は上記各実施例に限定されず、本考案の趣旨を逸脱しない範囲で種々変更可能である。例えば、上記紐ボタンホール２２を省略して、吸収体１１または大型吸収体１２に直接切れ込みを入れてボタンホールを形成してもよい。これにより、紐ボタンホール２２を省略でき、ボタン２１のボタンホールへの挿通を目で確認できる。
【００４０】
このようなボタンホールや紐ボタンホール２２（第二着脱手段）は、下着側に設け、つまり、クロッチ部３の前方付近、または上記フロント部１のクロッチ部３との境界付近、つまり前方境界４に設け、逆にボタン２１（第一着脱手段）は、吸収体１１または大型吸収体１２側に設けてもよい。これにより、吸収体１１及び大型吸収体１２の装着において、ボタン２１を押し込む形をとることができ、装着が容易となる。
【００４１】
上記ボタン２１（第一着脱手段）及び紐ボタンホール２２または切れ込みのボタンホール（第二着脱手段）は、互いに着脱可能なオススナップボタンとメススナップボタン、互いに係合しあい互いに着脱可能な一対の面ファスナーでもよいし、互いに着脱可能な線ファスナー、互いに着脱可能な接着テープ、互いに着脱可能なフック、互いに着脱可能なホック、互いに着脱可能なクリップ、互いに着脱可能な挟み、互いに着脱可能な磁石など何でもよい。
【００４２】
紐ボタンホール２２または切れ込みのボタンホール（第二着脱手段）は、吸収体１１または大型吸収体１２の後方側（図３及び図４の下方側）に設けられてもよい。これにより、吸収体１１または大型吸収体１２の向きを変えて付け替えて使用できる。紐ボタンホール２２または切れ込みのボタンホール（第二着脱手段）は、吸収体１１または大型吸収体１２の内面側に設けられてもよい。これにより、吸収体１１または大型吸収体１２を裏返して使用できる。
【００４３】
ボタン２１（第一着脱手段）は、前方境界４付近の、フロント部１側に設けられてもよいし、フロント部１の中央に設けられてもよいし、前方境界４より離れたクロッチ部３側に設けられてもよいし、下着の中心線から左右にずれていてもよいし、クロッチ部３の後方境界５に近い方に設けられてもよい。これに応じて、吸収体１１または大型吸収体１２の紐ボタンホール２２または切れ込みのボタンホール（第二着脱手段）の位置も移動される。
【００４４】
紐ボタンホール２２または切れ込みのボタンホール（第二着脱手段）は、互いに近い位置に複数、横方向、縦方向、その他の方向に設けられてもよいし、離れて複数個所に設けられてもよい。これにより、吸収体１１または大型吸収体１２の下着への装着位置を微妙にずらして微調整できる。ボタン２１（第一着脱手段）は、互いに近い位置に複数設けられてもよい。これにより、吸収体１１または大型吸収体１２の下着への装着位置を微妙にずらして微調整できる。
【００４５】
互いに着脱されるボタン２１（第一着脱手段）と紐ボタンホール２２（第二着脱手段）とは単一であったが、複数ずつ設け、これら複数によって装着／取外しの着脱がなされてもよい。これにより、吸収体１１または大型吸収体１２の装着／固定が強固になる。しかし、装着／取外しの着脱の手間がかかるし、コストアップになるので、単一の方がすぐれている。単一でも、位置ずれは生じず漏れも無くなり、装着／固定が強固で容易である。
【００４６】
以上のように、第一着脱手段と第二着脱手段との個数は任意であり、設ける場所は互いに入れ替えられてもよい。上記吸収体１１、大型吸収体１２の形状は任意であり、上記の形状に限られず、方形、ひょうたん形、円形、楕円形、台形、角形、多角形など、どのような形状でもよい。紐ボタンホール２２または切れ込みのボタンホールは、弾性的に伸縮可能であってもよい。
【００４７】
上記吸収体１１または大型吸収体１２の幅は、上記クロッチ部３の幅とほぼ同じでもよいし、大きくでもよいし、小さくてもよい。吸収体１１または大型吸収体１２の長さは、上記クロッチ部３の長さとほぼ同じでもよいし、長くてもよいし、短くてもよい。
【００４８】
上記前方境界４は、前方、つまり図２において上方に移動して、クロッチ部３の長さが長くなってもよいし、後方境界５は、後方、つまり図２において下方に移動して、クロッチ部３の長さが長くなってもよい。
【００４９】
上記前方境界４は、後方、つまり図２において下方に移動して、クロッチ部３の長さが短くなってもよいし、後方境界５は、前方、つまり図２において上方に移動して、クロッチ部３の長さが短くなってもよい。クロッチ部３の幅は、より狭くなってもよいし、より太くなってもよい。
【００５０】
紐ボタンホール２２の傾斜方向は、下着の正確な前方方向に限られず、この前方向から、多少横向きになっていてもよく、前方から右９０度、右４５度、左４５度、左９０度にずれるなど、前方であれば、どのような角度でもよい。
【００５１】
上記下着は、パンティ、パンツ、ショーツ、キャミソール、スキャンティ、ガードル、ボディスーツ、ティーバッグ、タイツ、ランジェリー、トランクス、ロングパンツ、男性用でもよいし、クロッチ部３で着脱自在に分離可能であってもよいし、前方境界４付近でクロッチ部３とフロント部１とで着脱自在に分離可能であってもよいし、後方境界５付近でクロッチ部３とバック部２とで着脱自在に分離可能であってもよいし、腰部の側面付近で、フロント部１とバック部２で着脱自在に分離可能であってもよい。
【００５２】
本下着及び吸収体１１または大型吸収体１２、紐ボタンホール２２の材質（布）は、速乾性、吸湿性、吸水性、防臭性、消臭性があってもよく、網状、レース状でもよい。本下着及び吸収体１１または大型吸収体１２は、女性の生理用のほか、失禁用、オムツ用、乳児用、幼児用、老人用、介護用として使用してもよいし、人間のほか、ペット、類人猿等の動物用としても使用可能である。
【００５３】
本下着及び吸収体１１または大型吸収体１２、紐ボタンホール２２の材質（布）は、綿のほか、麻、絹、天然繊維、再生繊維、化学繊維、合成繊維、バンブー繊維布、光触媒加工された、抗菌、消臭作用のある素材、例えば、二酸化チタン、ＣｄＳ、ＣｄＳｅ、ＷＯ３、Ｆｅ２Ｏ３、ＳｒＴｉＯ３、ＫＮｂＯを含む素材、これらの混合物など、何でもよい。シャインアップは、ポリエステル繊維とナイロン繊維とからなる複合繊維に金属含有セラミックス系の特殊消臭剤が練り込まれており、二酸化チタンによる光触媒反応により消臭と抗菌効果が発揮される。
【００５４】
本下着及び吸収体１１または大型吸収体１２、紐ボタンホール２２の材質（布）は、上述のもののほか、遠赤外線を発する素材、粉末鉄のように発熱効果のあるもの、ロンウェーブ、羊毛ゼオライトが付着した布などを用いてもよい。
【００５５】
上述の下着の技術内容は、下着の生産方法／加工方法としても成立する。これらの方法は、上記下着を生産してから、上記下着にボタン１１を取り付ける工程と、吸収体１１または大型吸収体１２を生産してから、この吸収体１１または大型吸収体１２に上記紐ボタンホール２２を取り付ける工程とからなる。
【００５６】
上述のフロント部１、バック部２、クロッチ部３、前方境界４、後方境界５、ウエスト開口部６、右大腿開口部７、左大腿開口部８、吸収体１１、大型吸収体１２、ボタン２１、紐ボタンホール２２は、単数でも複数でも３つ以上でもよいし、これらそれぞれの構成、動作、作用、工程または機能の一部または全体は省略されてもよいし、分割分離されてその数が増えても減ってもよいし、その形状は任意に変更可能であり、均等の他の物に置き換えられてもよいし、これらの２つまたは３つ以上が合体または一体化されて兼用されてもよいし、向きは図示のもののほか、９０度、０度乃至１８０度、上下、左右、前後、手前、奥に傾斜／向きを変えて／反転されて使用されてもよく、それぞれの寸法の相対的大小は切り換えられてもよいし同じでもよく、これらの材質は繊維製、布製、樹脂製のほか、硬質ウレタン製、軟質ウレタン製、籐製、竹製、樹脂製、金属製、ガラス製、綿製、糸製、繊維製、ゴム製、紙製、セラミック製、カーボン製、これらの合成物製／混合物製／多層積層物製／複合材料でもよいし、それぞれの間の固定／着脱は、面ファスナー、線ファスナー、接着剤、接着テープ、フック及びホック、磁石、縫合、ボルト及びナット、ねじなどなんでもよい。
【００５７】
（５）他の考案の効果
［１］腰部の前面を覆う可撓性のあるフロント部と、  この腰部の後面を覆い、腰部の両側面で上記フロント部と連結される、可撓性のあるバック部と、  この腰部の股部を覆い、当該股部で上記フロント部と上記バック部とに連結される、可撓性のあるクロッチ部と、  このクロッチ部と上記フロント部との境界付近であって、当該クロッチ部の前方付近に設けられた第一着脱手段であって、この第一着脱手段は、単一であり、当該クロッチ部の内面に設けられ、上記フロント部、バック部及びクロッチ部より小さく、  これらフロント部、バック部及びクロッチ部と分離され、上記クロッチ部の内面にて、上記股部付近を覆う可撓性のある板状の吸収体と、  この吸収体の前方付近に設けられ、上記第一着脱手段に着脱される第二着脱手段であって、この第二着脱手段は、単一であり、当該吸収体の外面に設けられ、当該吸収体の外面が上記クロッチ部の内面に重ねられ、上記フロント部、バック部及びクロッチ部、当該吸収体より小さいことを特徴とする下着。
【００５８】
［２］上記第一着脱手段及び第二着脱手段の厚さは、上記クロッチ部または上記吸収体の厚さとほぼ同じ、または数分の一乃至数倍であることを特徴とする請求項１記載の下着。  これにより、第一着脱手段及び第二着脱手段が外見上目立たず、感触上も肌に違和感がなくなる。
【００５９】
［３］上記第一着脱手段及び第二着脱手段の大きさは、上記クロッチ部の幅の数分の一乃至数十分の一であることを特徴とする請求項２記載の下着。  これにより、第一着脱手段及び第二着脱手段が外見上目立たず、感触上も肌に違和感がなくなる。
【００６０】
［４］上記第一着脱手段及び第二着脱手段は、ボタンとボタンホールであることを特徴とする請求項３記載の下着。  これにより、下着、吸収体への縫合が容易で機械化も容易で、第一着脱手段及び第二着脱手段の合計の厚さが厚くならず、外見上目立たず、感触上も肌に違和感がなくなり、下着への吸収体の着脱に手間がかからないし、洗濯も容易になる。
【００６１】
［５］上記ボタンホールは、環状の紐体で、この紐体の環状の一部で上記吸収体、もしくは上記クロッチ部の前方付近、または上記フロント部のクロッチ部との境界付近に設けられていることを特徴とする請求項４記載の下着。  これにより、ボタンが、吸収体の内側まで到達せず、吸収体の外側に位置させることができるので、ボタンが外見上目立たず、感触上も肌に違和感がなくなる。
【００６２】
［６］上記環状の紐体のボタンホールの向きは、上記吸収体の外面または下着の内面に対して、下着の前方に向かって傾斜していることを特徴とする請求項５記載の下着。  これにより、下着を利用している人の視線から、ボタンホールを確認し易く、吸収体の上縁をめくると、ボタンホールを容易に確認でき、ボタンへの着脱が容易になり、ボタンホールが吸収体に隠れてしまうことがない。
【００６３】
［７］上記第一着脱手段及び第二着脱手段は、互いに着脱可能なスナップボタンであることを特徴とする請求項２または３記載の下着。  これにより、目で正確に確認しなくても、吸収体の着脱ができる。
【００６４】
［８］上記第一着脱手段及び第二着脱手段は、互いに着脱可能な面ファスナーであることを特徴とする請求項２または３記載の下着。  これにより、目で正確に確認しなくても、吸収体の着脱ができる。
【００６５】
［９］腰部の前面を覆う可撓性のあるフロント部と、  この腰部の後面を覆い、腰部の両側面で上記フロント部と連結される、可撓性のあるバック部と、  この腰部の股部を覆い、当該股部で上記フロント部と上記バック部とに連結される、可撓性のあるクロッチ部と、を備えた下着に対して、    このクロッチ部と上記フロント部との境界付近であって、当該クロッチ部の前方付近に第一着脱手段を設ける工程であって、  この第一着脱手段は、単一であり、当該クロッチ部の内面に設けられ、上記フロント部、バック部及びクロッチ部より小さく、    これらフロント部、バック部及びクロッチ部と分離され、上記クロッチ部の内面にて、上記股部付近を覆う可撓性のある板状の吸収体に対して、  この吸収体の前方付近に、上記第一着脱手段に着脱される第二着脱手段を設ける工程であって、この第二着脱手段は、単一であり、当該吸収体の外面に設けられ、当該吸収体の外面が上記クロッチ部の内面に重ねられ、上記フロント部、バック部及びクロッチ部、当該吸収体より小さいことを特徴とする下着の生産方法／加工方法。
【産業上の利用可能性】
【００６６】
排泄物の漏れを防ぎ、生理などで吸収体（ナプキン）の固定や交換を容易にする。下着のフロント部１とクロッチ部３との内面の前方境界４付近の中央には、ボタン２１（第一着脱手段）が縫合される。長円状の吸収体１１の外面の前方の中央には環状／輪状の紐ボタンホール２２（第二着脱手段）が縫合される。
【００６７】
単一の紐ボタンホール２２に単一のボタン２１を通すと、下着に吸収体１１を容易に装着して固定できる。ボタン２１を紐ボタンホール２２から外すと、下着から吸収体１１を容易に外すことができ、吸収体１１の交換も容易になる。
【００６８】
ボタン２１及び紐ボタンホール２２は単一なので、吸収体１１の着脱が容易になるし、肌への違和感もない。ボタン２１及び紐ボタンホール２２は、股部の前方に位置し、座っているときをふくめて、肌への違和感がない。単一でも、装着した吸収体１１がずれにくく漏れがない。
【符号の説明】
【００６９】
１…フロント部  ２…バック部
３…クロッチ部  ４…前方境界
５…後方境界  ６…ウエスト開口部
７…右大腿開口部  ８…左大腿開口部
１１…吸収体  １２…大型吸収体
２１…ボタン（第一着脱手段）
２２…紐ボタンホール（第二着脱手段）
【図１】
0003204198.tif 000003
【図２】
0003204198.tif 000004
【図３】
0003204198.tif 000005
【図４】
0003204198.tif 000006